(57)【要約】      （修正有）【課題】光源から発生する熱による、撮像部の撮像機能の低下を抑制可能な情報処理装置を提供する。【解決手段】光源ユニット１１９とプロジェクタ鏡筒部１１５を含むプロジェクタと、カメラ鏡筒部１３２を含むカメラ１０５を備える情報処理装置において、プロジェクタの光軸が向かう方向と直交する方向Ｂからみた時に、プロジェクタ鏡筒部１１５はカメラ鏡筒部１３２とが重なり、光源ユニット１１９はカメラ１０５と重ならないように配置する。光源へ送風するダクト１３８は、プロジェクタの光軸が向かう方向と直交する方向に風を送るように配置される。【選択図】図１１
2017045001.tif 000002
【特許請求の範囲】
【請求項１】
光源と投影鏡筒部を含み、投影面に画像を投影する投影手段と、
投影面に載置された対象物を撮影するための撮像手段と、
前記対象物の像を前記撮像手段に結像させるための撮像鏡筒部と、
前記光源を冷却するための風を送る送風手段と、
前記送風手段による風を前記光源に導くダクトと、を備え、
前記投影手段の光軸を前記投影面に投影した際に当該光軸が向かう方向を第１の方向、前記第１の方向と直交する方向を第２の方向として、
前記第２の方向からみて、前記投影鏡筒部は前記撮像鏡筒部と重なり、前記光源は前記撮像手段及び前記撮像鏡筒部と重ならないように配置され、
前記ダクトは前記第１の方向と交差する方向に前記送風手段の風を送るように配置されていることを特徴とする情報処理装置。
【請求項２】
前記光源と前記投影鏡筒部との間に反射ミラーが配置され、前記反射ミラーにより前記光源から出射された光は前記投影鏡筒部に導かれることを特徴とする請求項１に記載の情報処理装置。
【請求項３】
前記ダクトは、上流開口部から下流開口部まで直線状に形成されていることを特徴とする請求項１又は２に記載の情報処理装置。
【請求項４】
前記ダクトの下流開口部は、前記第２の方向において前記撮像手段よりも前記送風手段の送風方向の下流に設けられることを特徴とする請求項１乃至３のいずれか１項に記載の情報処理装置。
【請求項５】
光源からの光を前記投影面に導く投影ミラーを備え、前記投影ミラーは前記投影鏡筒部の上方に配置されることを特徴とする請求項１乃至４のいずれか１項に記載の情報処理装置。
【請求項６】
前記投影面の対象物を撮影するために光を反射する撮像ミラーを備え、前記撮像ミラーは前記撮像鏡筒部の上方に配置されることを特徴とする請求項１乃至５のいずれか１項に記載の情報処理装置。
【請求項７】
前記光源の熱を放熱するための放熱フィンを備え、前記放熱フィンの向きは前記送風手段の送風方向と同一方向であることを特徴とする請求項１乃至６のいずれか１項に記載の情報処理装置。
【請求項８】
前記光源の上方に前記投影鏡筒部を配置しないことを特徴とする請求項１乃至７のいずれか１項に記載の情報処理装置。
【発明の詳細な説明】
【技術分野】
【０００１】
本発明は、投影面に画像を投影する投影手段と、投影面に載置されている対象物を撮影する撮像手段とを有する情報処理装置に関する。
【背景技術】
【０００２】
従来、外部スクリーンに対して映像（画像情報）を投影するプロジェクタが知られている。
【０００３】
特許文献１には、スクリーンに対して画像を投影するための光源、レンズ群等と、スクリーンに投影されたポインタ等を検知するためのスクリーンセンサを備えた投写型表示装置が開示されている。スクリーンセンサはＣＣＤ等のエリアセンサと結像レンズを備えている。スクリーンセンサは表示エリアの投射光量や、スクリーンと投射画像の位置、大きさ、および投射面にレーザポインタ等でポインティングされたマーク等を検知する。
【０００４】
一方、プロジェクタは光源の温度が高くなりすぎると光源の寿命が短くなるおそれがある。そのため、従来、光源に対して冷却を行う冷却機構が知られており、特許文献２には、光源に対してファンで冷却風を当てて光源の冷却を行う構成が開示されている。
【先行技術文献】
【特許文献】
【０００５】
【特許文献１】特開２０００−１１２０２１号公報
【特許文献２】特許第５０１０３１１号公報
【発明の概要】
【発明が解決しようとする課題】
【０００６】
特許文献１に開示される投写型表示装置では、同一の筐体内に画像投影用の光源と、スクリーンセンサ（ＣＣＤ等のエリアセンサ、結像レンズを備える鏡筒）が収容されている。
【０００７】
装置の小型化を進めていくと、光源と、エリアセンサ又は鏡筒との配置が近くなる。そして、光源により発生する熱により、エリアセンサ又は鏡筒が温められるおそれがある。鏡筒が温められると、レンズの屈折率の変化や、鏡筒の熱膨張により焦点がずれエリアセンサの結像性能の低下が発生する。また、エリアセンサが温められると、エリアセンサの光電変換の特性が変化しノイズがのった画像情報が得られてしまうおそれがある。
【０００８】
従来技術のように、光源をファンにより冷却する方法が考えられるが、光源によって温められた冷却風がエリアセンサや鏡筒にあたり、結果エリアセンサや鏡筒を温めてしまい、撮像機能の低下が引き起こされる可能性がある。
【０００９】
本発明は上述した課題に鑑みてなされたものであり、その目的は、撮像部の撮像機能の低下を抑制することが可能な情報処理装置を提供することである。
【課題を解決するための手段】
【００１０】
上記課題を解決するための情報処理装置は、光源と投影鏡筒部を含み、投影面に画像を投影する投影手段と、投影面に載置された対象物を撮影するための撮像手段と、前記対象物の像を前記撮像手段に結像させるための撮像鏡筒部と、前記光源を冷却するための風を送る送風手段と、前記送風手段による風を前記光源に導くダクトと、を備え、前記投影手段の光軸を前記投影面に投影した際に当該光軸が向かう方向を第１の方向、前記第１の方向と直交する方向を第２の方向として、前記第２の方向からみて、前記投影鏡筒部は前記撮像鏡筒部と重なり、前記光源は前記撮像手段と重ならないように配置され、前記ダクトは前記第１の方向と交差する方向に前記送風手段の風を送るように配置されていることを特徴とする。
【発明の効果】
【００１１】
本発明によれば、撮像部の撮像機能の低下が抑制可能な情報処理装置を提供することができる。
【図面の簡単な説明】
【００１２】
【図１】実施形態１に係る情報処理装置の使用状態を示す概略図。
【図２】実施形態１に係る情報処理装置のハードウェア構成を示す図。
【図３】実施形態１に係る情報処理装置の機能構成を示す図。
【図４】実施形態１に係る情報処理装置の斜視図。
【図５】実施形態１に係るプロジェクタ、ジェスチャセンサの断面図。
【図６】実施形態１に係る光源ユニットの構成図。
【図７】実施形態１に係る青色ＬＥＤと放熱部材を説明する斜視図。
【図８】実施形態１に係る赤色ＬＥＤと放熱部材を説明する斜視図。
【図９】実施形態１に係る緑色ＬＥＤと放熱部材を説明する斜視図。
【図１０】実施形態１に係る３色のＬＥＤと放熱部材を組み付けた状態での冷却機構を示す斜視図。
【図１１】実施形態１に係る情報処理装置の冷却構成を説明するための上視図。
【図１２】実施形態１に係る情報処理装置の冷却構成を説明するための側面図。
【図１３】実施形態２に係る情報処理装置の冷却構成を説明するための側面図。
【図１４】実施形態２に係る情報処理装置の冷却構成を説明するための側面図。
【発明を実施するための形態】
【００１３】
（実施形態１）
以下、本発明の実施形態１について、添付図面を参照して詳細に説明する。ただし、以下の実施形態に記載されている構成要素はあくまで例示であり、本発明の範囲をそれらのみに限定するものではない。
【００１４】
≪情報処理装置１０９の使用状態≫
図１に実施形態１における情報処理装置１０９の使用状態を表す図を示す。
【００１５】
情報処理装置１０９は、投影手段であるプロジェクタ１０６、検出手段であるジェスチャセンサ１０７、撮像手段であるカメラ１０５を備える。（図２、図４参照）
プロジェクタ１０６は投影面１１０に画像１１１を投影する。
ユーザはこの画像１１１に対して操作を行う。
投影された画像１１１にはメニューボタン１２２が含まれており、ユーザは手指を使って電源のＯＮ／ＯＦＦやその他の操作選択を行っていく。
ユーザによる操作選択はジェスチャセンサ１０７によって検出され、インターフェースとして機能する。
ユーザが書類等を撮像したい時には、投影面１１０に撮影したい対象物（書類等）を設置し、カメラ１０５によって対象物の像を撮影する。
【００１６】
装置本体において、プロジェクタ１０６から画像を投影する側を手前側とし、反対側を奥側、それぞれの側面は装置本体を手前側から見た状態で右側、左側とする。
【００１７】
≪情報処理装置１０９の説明≫
図２は、実施形態１における情報処理装置のハードウェア構成を示す図である。図２において、マイクロコンピュータからなるＣＰＵ１０１は、各種処理のための演算や論理判断などを行い、システムバス１０８に接続された各構成要素を制御する。ＲＯＭ１０２は、プログラムメモリであって、ＣＰＵ１０１による制御のためのプログラムを格納する。ＲＡＭ１０３は、データメモリであり、ＣＰＵ１０１の上記プログラムのワーク領域、エラー処理時のデータの退避領域、上記制御プログラムのロード領域などを有する。
【００１８】
記憶装置１０４はハードディスクや外部に接続された記憶装置などからなり、実施形態１に係る電子データなどの各種データやプログラムを記憶する。撮像手段としてのカメラ１０５は、ユーザが操作を行う作業空間に存在する対象物を撮像し、入力画像としてシステムに提供する。
【００１９】
投影手段としてのプロジェクタ１０６は投影面１１０に電子データやユーザインタフェースを含む映像を投影する。ジェスチャセンサ１０７は、ＲＧＢあるいはモノクロのＣＣＤカメラである。ジェスチャセンサ１０７は、作業空間にあるユーザの手などの被検出物の動きを検知し、その検知に基づいて、ユーザが投影面１１０（図１参照）に投影されている操作ボタン等にタッチしたかを検知する。
【００２０】
実施形態１において、投影面１１０は、情報処理装置の下方に位置する平面であり、例えば、情報処理装置１０９が置かれるテーブルの面である。なお、情報処理装置１０９の一部に投影面１１０を設ける構成にしてもよい。例えば、情報処理装置１０９の台座１１２を延長し、プロジェクタ１０６からの画像を投影できるようにしてもよい。
【００２１】
図３は、実施形態１における情報処理装置の機能構成を示す図である。図３において、カメラ１０５は、投影面１１０に置かれた対象物、例えばユーザが手書きで書いた文書などを撮影し、その文字などを判断する。また、プロジェクタ１０６は、投影面１１０（図１参照）に、ユーザインタフェース等の画面を投影する。プロジェクタ１０６は、カメラ１０５により撮影された画像を投影することも可能である。ジェスチャセンサ１０７は、投影面１１０（図１参照）上の作業空間において、プロジェクタ１０６により投影面１１０に投影されたユーザインタフェース等に対するユーザの手などによる操作を検知する。
【００２２】
ユーザの手などによりユーザインタフェースが操作されると、プロジェクタ１０６により投影される画像を変更したり、カメラ１０５による撮影を行ったりする。検出部２０２は、ＣＰＵ、ＲＯＭ、ＲＡＭ（以下、ＣＰＵ１０１等）によって構成され、ジェスチャセンサ１０７による検知信号により、ユーザの手が存在する領域、及びユーザの手の指が存在する領域を検出する。
【００２３】
認識部２０３は、ＣＰＵ等によって構成され、ジェスチャセンサ１０７及び検出部２０２によって検出されたユーザの手と指を追跡し、ユーザが行うジェスチャ操作を認識する。識別部２０４は、ＣＰＵ等によって構成され、認識部２０３によって認識された操作を実行した指がユーザのどの指であるかを識別する。保持部２０５は、ＣＰＵ等によって構成され、ＲＡＭ１０３に設けられる記憶領域に、投影されている電子データに含まれるオブジェクトのうち、ユーザがジェスチャ操作で指定したオブジェクトの情報を、ジェスチャ操作に用いられた指に関連付けて保持する。
【００２４】
受付部２０６は、ＣＰＵ等によって構成され、認識部２０３が認識したジェスチャ操作によって、電子データに対して指示された編集操作を受け付け、必要に応じて記憶装置１０４に記憶された電子データを更新する。記憶装置１０４は、編集操作の対象となる電子データを記憶する。ＣＰＵ１０１は、認識部２０３によって認識されたジェスチャに応じて保持部２０５に保持されている情報を参照し、作業空間に投影される投影画像を生成する。プロジェクタ１０６は、ＣＰＵ１０１によって生成された投影映像を、投影面１１０に投影する。
【００２５】
≪カメラ１０５の構成≫
図４は、情報処理装置１０９の全体構成図である。図５は、カメラ１０５及びジェスチャセンサ１０７の断面構成図である。図４、図５を用いて、カメラ１０５の構成を説明する。カメラ１０５は、撮像素子としてのＣＣＤセンサ１１４を備える。台座１１２にはメインフレーム１１３が固定されている。メインフレーム１１３にはカメラアタッチメント１３０が固定されている。
【００２６】
カメラ１０５は、はカメラアタッチメント１３０を介してカメラマウント１３１に取り付けられる。ＣＣＤセンサ１１４は、投影面１１０に対して略水平になるように取り付けられている。
カメラマウント１３１には撮像光学系として複数のレンズ２０７を組み込んだカメラ鏡筒部１３２（撮像鏡筒部）が取り付けられる。カメラ鏡筒部１３２は、対象物の像をＣＣＤセンサ１１４に結像させる。
【００２７】
レンズの光軸は投影面１１０に対して略垂直になるように取り付けられている。
撮像ミラー１１７はメインフレームに組み付けられており、凹形状の曲面ミラーである。
【００２８】
投影面１１０に載置された対象物をカメラで読み取る際には、対象物の像を撮像ミラー１１７でカメラ鏡筒部１３２へと反射させ、カメラ鏡筒部１３２の内側の複数のレンズ２０７（図５参照）を通り、ＣＣＤセンサ１１４で画像を読み取ることになる。撮像ミラー１１７は光軸より奥側に配置される。
【００２９】
図５に、カメラ１０５、ジェスチャセンサ１０７の断面および撮像領域を示す。
投影面１１０と同一面である撮影面３０１上に載置された任意の対象物は、撮像ミラー１１７および複数のレンズ２０７を通過して像面ＩＭＧ上に被写体像として結像さられる。像面ＩＭＧはＣＣＤの受光面が配置される。像面ＩＭＧは複数のレンズ２０７の光軸に対して図面上右側にずらされている所謂シフト光学系となっている。
【００３０】
≪ジェスチャセンサ１０７の構成≫
図４および図５を用いてジェスチャセンサの構成を示す。
ジェスチャセンサ１０７はメインフレーム１１３に取り付けられている。ジェスチャセンサ１０７には撮像素子１０７ａと樹脂で形成された少なくとも一枚のレンズ１０７ｂが内蔵されている。ジェスチャセンサ１０７は撮像ミラー１１７の先端に取り付けられている。
【００３１】
ジェスチャセンサは投影面１１０の上にかざした手指の動きを検知するために、投影面１１０から高さ１００ｍｍまでの領域Ａを検出できるように検出領域を確保する必要がある。
ジェスチャセンサ１０７は、カメラ１０５の撮影領域となる光線Ｉｂ、Ｉｃおよびその内側を通るすべての光線と干渉しない領域に配設されている。
【００３２】
≪プロジェクタ１０６の構成≫
図４を用いてプロジェクタ１０６の構成を示す。
プロジェクタ１０６は、光源である光源ユニット１１９と、投影光学系であるプロジェクタ鏡筒部１１５（投影鏡筒部）を備えている。プロジェクタ鏡筒部１１５の内部には複数のレンズが配置されている。なお、図４において、光源ユニット１１９はダクト１３８の内部に配置されているため不図示となっている。
【００３３】
光源ユニット１１９とプロジェクタ鏡筒部１１５は屈曲部を介して接続されている。光源ユニット１１９は屈曲部の奥側に配置される。
【００３４】
投影ミラー１３４は、プロジェクタ鏡筒部１１５の上方手前側に配置される。投影ミラー１３４は、光を投影面１１０に向けて反射し、投影面１１０に画像を投影する。屈曲部には反射ミラー１３５が配置され、光源ユニット１１９から出た光を投影ミラー１３４に向けて反射する。
【００３５】
光源ユニット周辺には冷却ファン１３７および光源を囲むダクト１３８が設けられており、光源ユニットから発生した熱を放熱する。
【００３６】
≪光源ユニット１１９の構成≫
図６は、光源ユニット１１９の構成図である。
光源ユニット１１９は、光源である赤色ＬＥＤ２Ｒ、緑色ＬＥＤ２Ｇ、青色ＬＥＤ２Ｂを備えている。赤色ＬＥＤ２Ｒ、緑色ＬＥＤ２Ｇ、青色ＬＥＤ２Ｂの光の出射方向には、光を平行光にするコリメータレンズ３Ｒ、３Ｇ、３Ｂ、４Ｒ、４Ｇ、４Ｂと、光を合成するダイクロイックミラー５Ｂ、５Ｇが配置されている。
【００３７】
ダイクロイックミラー５Ｂ、５Ｇは、は入射する光の波長によって透過および反射が切替わるミラーである。ダイクロイックミラー５Ｂは、青色波長成分を反射し、赤色波長成分および緑色波長成分を透過する。ダイクロイックミラー５Ｇは、緑色波長成分を反射し、赤色波長成分および青色波長成分を透過する。
【００３８】
赤色ＬＥＤ２Ｒ、緑色ＬＥＤ２Ｇ、青色ＬＥＤ２Ｂから出射された光線の経路について説明する。
【００３９】
赤色ＬＥＤ２Ｒから出射された光線はコリメータレンズ３Ｒ、４Ｒを通過することで平行光となる。その後、光はダイクロイックミラー５Ｇ、５Ｂはどちらも赤色波長成分を反射しないため、光線はそのまま透過し、光源ユニット１１９から赤色光が出射される。
【００４０】
青色ＬＥＤ２Ｂから出射された光線はコリメータレンズ３Ｂ、４Ｂを通過することで平行光となる。その後、光はダイクロイックミラー５Ｇを透過し、ダイクロイックミラー５Ｂによって反射されることで進行方向を９０度変えられ、光源ユニット１１９から青色光が出射される。
【００４１】
緑色ＬＥＤ２Ｇから出射された光線はコリメータレンズ３Ｇ、４Ｇを通過することで平行光となる。その後、光はダイクロイックミラー５Ｂを透過し、ダイクロイックミラー５Ｇによって反射されることで進行方向を９０度変えられ、光源ユニット１１９から緑色光が出射される。
【００４２】
≪光源毎冷却構成≫
光源ユニットの冷却構成について説明する。
【００４３】
赤色ＬＥＤ２Ｒ、緑色ＬＥＤ２Ｇ、青色ＬＥＤ２Ｂにはそれぞれ放熱部材１１Ｒ、１１Ｇ、１１Ｂが設けられている。
【００４４】
図７に青色ＬＥＤ２Ｂと放熱部材１１Ｂを説明する斜視図を示す。
放熱部材１１Ｂは受熱部１２Ｂと放熱フィン１３Ｂで形成されている。受熱部１２Ｂと放熱フィン１３Ｂは銅製である。
青色ＬＥＤ２Ｂの放熱面は放熱部材１１Ｂの受熱部１２Ｂに対して不図示の熱伝導シートを介して接触している。青色ＬＥＤ２Ｂが発光して発熱すると、発生熱は、青色ＬＥＤ２Ｂの放熱面から受熱部１２Ｂ、放熱フィン１３Ｂへと伝わり、放熱フィン１３Ｂから放熱される。
【００４５】
図８に赤色ＬＥＤ２Ｒと放熱部材１１Ｒを説明する斜視図を示す。
放熱部材１１Ｒは受熱部１２Ｒと、ヒートパイプ１４Ｒと、放熱フィン１３Ｒを有している。受熱部１２Ｒ及び放熱フィン１３Ｒは銅製である。ヒートパイプ１４Ｒは銅製のパイプを真空とし、その中に冷媒となる水を封入して製造される。
【００４６】
受熱部１２Ｒと放熱フィン１３Ｒは離れて配設されており、ヒートパイプ１４Ｒによって接続されている。赤色ＬＥＤ２Ｒが発光して発熱すると、発生熱は、赤色ＬＥＤ２Ｒの放熱面から受熱部１２Ｒ、ヒートパイプ１４Ｒ、放熱フィン１３Ｒへと伝熱され、放熱フィン１３Ｒから放熱される。
【００４７】
図９に緑色ＬＥＤ２Ｇと放熱部材１１Ｇを説明する斜視図を示す。
放熱部材１１Ｇは受熱部１２Ｇと、ヒートパイプ１４Ｇと、放熱フィン１３Ｇを有している。受熱部１２Ｇ及び放熱フィン１３Ｇは銅製である。ヒートパイプ１４Ｇは銅製のパイプを真空とし、その中に冷媒となる水を封入して製造される。
【００４８】
受熱部１２Ｇと放熱フィン１３Ｇは離れて配設されており、ヒートパイプ１４Ｇによって接続されている。緑色ＬＥＤ２Ｇが発光して発熱すると、発生熱は、緑色ＬＥＤ２Ｇの放熱面から受熱部１２Ｇ、ヒートパイプ１４Ｇ、放熱フィン１３Ｇへと伝熱され、放熱フィン１３Ｇから放熱される。
【００４９】
≪光源ユニット１１９の冷却構成≫
図１０に３色のＬＥＤと放熱部材を組み付けた状態での冷却構成を説明する斜視図を示す。
放熱部材１１Ｂの前面に冷却ファン１３７（送風手段）が設けられる。
冷却ファン１３７は軸流ファンであり、ダクト１３８を通って図中Ａ方向に送風を行う。
放熱部材１１Ｒは放熱部材１１Ｂの送風方向の下流に配置される。
放熱部材１１Ｇは放熱部材１１Ｒの送風方向の下流に配置される。放熱部材１１Ｂ、放熱部材１１Ｒおよび放熱部材１１Ｇのそれぞれのフィンの向きは、冷却ファン１５の送風方向と同一方向になっている。即ち、冷却ファン１５の送風方向に対してフィンの面の向きが平行に形成されている。
【００５０】
光源ユニット１１９及び放熱部材１１Ｂ、１１Ｒ、１１Ｇはダクト１３８の内部に配置されている。放熱部材１１Ｂ、放熱部材１１Ｒおよび放熱部材１１Ｇは、送風方向Ａに対して略直線上に配設されている。
【００５１】
図１１は、情報処理装置１０９の冷却の配置を説明するための情報処理装置１０９の上視図である。図１２は、図１１におけるＢの方向からみた図である。ここで、カメラ１０５の光軸を投影面１１０に投影した際に当該光軸が向かう方向を第１の方向、第１の方向と直交する方向を第２の方向とする（図１、図５も参照）。
【００５２】
なお、撮像ミラー１１７、投影ミラー１３４、メインフレーム１１３等の説明に不要な構成は不図示としている。
【００５３】
γはカメラ１０５が撮影する領域を示す線であり、βはプロジェクタ１０６が画像を投影する領域を示す線である。第２の方向からみて、プロジェクタ鏡筒部１１５は、カメラ鏡筒部１３２と重なるように配置されている（図１２参照）。このように配置することで、カメラ１０５が撮影する領域γをプロジェクタ鏡筒部１１５が遮断しないように、プロジェクタ１０６が画像を投影する領域βをカメラ鏡筒部１３２が遮断しないようにしている。仮に、プロジェクタ鏡筒部１１５とカメラ鏡筒部１３２とが、第２の方向からみて、重ならないように配置された場合、例えばプロジェクタ鏡筒部１１５が奥に、カメラ鏡筒部１３２が手前に配置された場合、プロジェクタ１０６が画像を投影する領域βがカメラ鏡筒部１３２により遮断されてしまうおそれがある。
【００５４】
また、第２の方向からみて、光源ユニット１１９は、カメラ１０５及びカメラ鏡筒部１３２と重ならないように配置される。このように配置することで、後述するダクト１３８を適切な位置に配置することができる。
【００５５】
冷却ファン１３７により送られる冷却風は、ダクト１３８の内側を流れる。ダクト１３８は、第１の方向と交差する方向である第２の方向に冷却ファン１３７の冷却風が流れるように配置されている。
【００５６】
ダクト１３８を第１の方向と同じ方向に冷却風が流れるように配置した場合、ユーザビリティが悪くなるおそれがある。冷却ファン１３７を奥側に配置し、冷却風が手前方向に排出されるようにした場合、投影面１１０側にいるユーザに冷却風が当たるおそれがある。逆に、冷却ファンを手前側に配置し、冷却風を奥方向に排出するようにした場合、冷却ファン１３７が手前にあるため、冷却ファン１３７の音をユーザがうるさいと感じてしまうおそれがある。
【００５７】
冷却ファン１３７の送風方向において、ダクト１３８の上流側の開口を上流開口部１３８ａ、ダクト１３８の下流側の開口を下流開口部１３８ｂとする。下流開口部１３８ｂは、第２の方向においてカメラ１０５よりも送風方向Ａの下流に設けられている。ダクトの下流開口部１３８ｂから排出される冷却風はαのように、ダクト１３８の外側の方向に広がる。上記のように下流開口部１３８ｂを設けることで、αの方向に広がった冷却風がカメラ１０５に当たることを抑制することができる。また、ダクト１３８の上流開口部１３８ａから下流開口部１３８ｂまで、冷却ファン１３７の送風方向において屈曲せず直線状となるよう構成されている。そのため、冷却風の圧力損失が発生しないようにしている。
【００５８】
光源ユニット１１９から略水平方向に出射された光は、反射ミラー１３５で垂直方向に反射し、プロジェクタ鏡筒部１１５を通って投影ミラー１３４へ向かう構成となっている。反射ミラー１３５を設けることで、光源ユニット１１９の上方にプロジェクタ鏡筒部１１５を配置しない構成としている。このようにすることで、光源ユニット１１９の光源の発熱により温められた空気が上方に上って行ったとしてもプロジェクタ鏡筒部１１５を温めることがない。
【００５９】
（実施形態２）
実施形態２について、図１３を用いて説明する。実施形態２は、反射ミラー１３５を用いていない点、及びプロジェクタ１０６の各構成の配置の点が実施形態１と異なる点であり、それ以外の点については実施形態１と同様である。したがって、実施形態１と異なる点のみを説明する。
【００６０】
図１３は、図１１のＢ方向から情報処理装置１０９をみた図である。実施形態２は、光源ユニット１１９からプロジェクタ鏡筒部１１５を水平方向に対し斜め上に向けて配置することで反射ミラー１３５を使わないような構成としている。
【００６１】
実施形態２においても、実施形態１と同様の効果を得ることができる。
【００６２】
（実施形態３）
実施形態３について、図１４を用いて説明する。実施形態３は、反射ミラー１３５を用いていない点、及びプロジェクタ１０６の各構成の配置の点が実施形態１と異なる点であり、それ以外の点については実施形態１と同様である。したがって、実施形態１と異なる点のみを説明する。
【００６３】
図１４は、図１１のＢ方向から情報処理装置１０９をみた図である。第１の方向と第２の方向と直交する第３の方向とする。実施形態３は、第２の方向からみた時に、光源ユニット１１９は、カメラ１０５及びカメラ鏡筒部１３２と、第３の方向において異なる位置に配置され、第１の方向において重なる位置に配置される。このようにすることで反射ミラー１３５を使わないような構成としている。実施形態３においても、実施形態１と同様の効果を得ることができる。しかしながら、情報処理装置１０９の全体としては、第３の方向（いわゆる高さ方向）に高くなってしまう。これは、プロジェクタ鏡筒部１１５及びカメラ鏡筒部１３２は、それぞれの光学性能を満たすためにある程度の長さが必要となるためである。情報処理装置１０９の高さ方向の大きさを小さくするためには、実施形態１や実施形態２の構成の方が好ましい。
【符号の説明】
【００６４】
１０５  カメラ
１０６  プロジェクタ
１１５  プロジェクタ鏡筒部
１１９  光源ユニット
１３２  カメラ鏡筒部
１３７  冷却ファン
１３８  ダクト
【図１】
2017045001.tif 000003
【図２】
2017045001.tif 000004
【図３】
2017045001.tif 000005
【図４】
2017045001.tif 000006
【図５】
2017045001.tif 000007
【図６】
2017045001.tif 000008
【図７】
2017045001.tif 000009
【図８】
2017045001.tif 000010
【図９】
2017045001.tif 000011
【図１０】
2017045001.tif 000012
【図１１】
2017045001.tif 000013
【図１２】
2017045001.tif 000014
【図１３】
2017045001.tif 000015
【図１４】
2017045001.tif 000016